(57)【特許請求の範囲】
【請求項１】
住宅等の建築物を建築する土地に、その地表面から、後記ベース地業の厚さと後記ベースブロックの厚さとの和よりも深い根切り底を有し且つ第１及び第２の内側面を有する根切りを施す工程と、
その工程後、上記根切り内に、平らな上面を有するベース地業を形成する工程と、
上記ベース地業の上面の延長途上の複数の位置に、相対向する平らな上下面とそれらと直交する面上に延長している相対向する平らな第１及び第２の側面と上記上下面及び上記第１及び第２の側面と直交する面上に延長している相対する平らな第３及び第４の側面とを有する複数のベースブロックをそれらの第１及び第２の側面を上記地根りの第１及び第２の内側面にそれぞれ対向させてそれぞれ据付ける工程と、
その工程後、上記ベース地業の上面上に、それと複数のベースブロックの高さ以下の間隔を保って平行に延長している第１の面に沿って上記ベース地業の長さ方向に互いに平行に延長している複数の第１の鉄筋と、上記第１の面に沿って上記ベース地業の幅方向に上記複数の第１の鉄筋と連結して互いに平行に延長している複数の第２の鉄筋と、上記ベース地業の上面と垂直な面に沿つて上記第１の鉄筋と連結して上方向に互いに平行に延長している複数の第３の鉄筋と、上記複数の第３の鉄筋と上記複数のベースブロックの上面よりも高い高さ位置で連結して上記第１の鉄筋と平行に延長している第４の鉄筋とによる配筋を行う工程と、その工程後、上記ベース地業の上面上において、（ａ）それと垂直な面に沿い、且つ上記複数のベースブロックをそれらの上面側で橋架するように且つ上記複数の第３の鉄筋の下部を除いた部及び上記第４の鉄筋を内包するように互いに平行に相対向して延長している第１及び第２の立上り枠用側板を有する立上り枠を組立てるとともに、（ｂ）上記ベース地業の上面と垂直な面に沿い且つ上記複数のベースブロックをその第１及び第２の側面側でそれぞれ橋架するように且つ上記複数の第１の鉄筋、上記複数の第２の鉄筋及び上記複数の第３の鉄筋の下部を内包するように互いに平行に相対向して延長している第１及び第２のベース枠用側板と、上記ベース地業の上面と平行な面に沿い且つ上記複数のベースブロックをそれらの上面の上記第１の立上り枠用側板及び第１のベース枠用側板間、及び上記第２の立上り枠用側板及び第２のベース枠用側板間でそれぞれ橋架するように互いに平行に延長している第１及び第２のベース枠用上板とを有するベース枠を組立てる工程と、
その工程後、上記根切りを埋戻すとともに、その埋戻した領域の一部または全ての地表面を含むまたは含まない地表面上に地表面地業を形成する工程と、
その工程後、（イ）上記ベース枠及び上記立上り枠内に、上記立上り枠上側から、コンクリートを打込むことによって、（ａ）上記ベース地業上に、上記べース枠によって取囲まれた、それと一体の、上記複数の第１の鉄筋と上記複数の第２の鉄筋と上記複数の第３の鉄筋の下部と上記ベースブロックとを埋設しているコンクリート基礎を形成し、且つ（ｂ）そのコンクリート基礎上に、上記立上り枠によって取囲まれた、それと一体の、上記複数の第３の鉄筋の下部を除いた部及び上記第４の鉄筋を埋設しているコンクリート立上りを形成するとともに、（ロ）地表面地業上に、コンクリートを打込むことによって、コンクリート層を形成する工程とを有することを特徴とする住宅等の建築物を建築するための基礎形成法。
【請求項２】
請求項１記載の住宅等の建築物を建築するための基礎形成法において、
上記根切り内に形成されたベース地業上に上記複数のベースブロックを据付ける工程における上記複数のベースブロックのそれぞれが、上記第３及び第４の側面間に延長している複数の溝を有し、
上記ベース地業の上面上に上記第１〜第４の鉄筋による配筋を行う工程において、上記複数の第１の鉄筋を上記複数のベースブロックのそれぞれの上記複数の溝内に延長させることを特徴とする住宅等の建築物を建築するための基礎形成法。
【請求項３】
請求項１記載の住宅等の建築物を建築するための基礎形成法において、
上記立上り枠を組立てる工程におけるその組立に、上記複数のベースブロックの上面上にそれぞれ位置決めして配される複数の立上り枠組立用側板位置決め保持用具を用い、
それら複数の立上り枠組立用側板位置決め保持用具のそれぞれが、上記ベースブロックの上面上に配される基板部と、その基板部の板面からそれと一体に上方に延長している、上記第１及び第２の立上り枠用側板の下端部を上記第１及び第２の立上り枠用側板が上記ベース地業の上面と垂直な面に沿って延長するようにそれぞれ保持する第１及び第２の対の位置決め保持用片とを有することを特徴とする住宅等の建築物を建築するための基礎形成法。
【請求項４】
請求項１記載の住宅等の建築物を建築するための基礎形成法において、
上記立上り枠を組立てる工程におけるその組立に、上記第１及び第２の立上り枠用側板にそれぞれ予め取付けられいる、上記第１及び第２の立上り枠用側板の内面にそれぞれ沿い且つ互に対応する上下位置を通って横方向に延長している第１及び第２の線条体と、上記第１及び第２の立上り枠用側板を予定の間隔を保って上記ベース地業と垂直な面に沿って延長するように保持させる複数の立上り枠組立用側板間間隔保持用具とを用い、
上記複数の立上り枠組立用側板間間隔保持用具のそれぞれが、上記第１及び第２の立上り枠用側板間間隔を保持させる間隔保持用板部と、その間隔保持用板部の両端からそれと一体に下方に延長している、上記第１の立上り枠用側板及び上記第１の線条間、及び上記第２の立上り枠用側板及び上記第２の線条間にそれぞれ差し込む第１及び第２の差込片とを有することを特徴とする住宅等の建築物を建築するための基礎形成法。
【請求項５】
請求項１記載の住宅等の建築物を建築するための基礎形成法において、
上記立上り枠を組立てる工程において、上記第１の立上り枠用側板を複数用い、それら複数の第１の立上り枠用側板を順次連接させるとともに、上記第２の立上り枠用側板を複数用い、それら複数の第２の立上り枠用側板を順次連接させ、上記複数の第１及び第２の立上り枠用側板にそれぞれ予め取付けられいる、上記第１及び第２の立上り枠用側板の内面にそれぞれ沿い且つ互に対応する上下位置を通って横方向に延長している第１及び第２の線条体と、上記第１及び第２の立上り枠用側板を予定の間隔を保って上記ベース地業と垂直な面に沿って延長するように保持させる複数の立上り枠組立用側板間間隔保持用具とを用い、
上記複数の立上り枠組立用側板間間隔保持用具のそれぞれが、上記第１及び第２の立上り枠用側板間間隔を保持させる間隔保持用板部と、その間隔保持用板部の両端からそれと一体に下方に延長している、上記第１の立上り枠用側板及び上記第１の線条間、及び上記第２の立上り枠用側板及び上記第２の線条間にそれぞれ差し込む第１及び第２の差込片とを有し、
上記複数の第１の立上り枠用側板中の相隣る第１の立上り枠用側板の互に連接する側の側端縁には、上記第１の線条体がそれぞれ取付けられている側において、それぞれ第１の面取りが予め施され、上記複数の第２の立上り枠用側板中の相隣る第２の立上り枠用側板の互に連接する側の側端縁には、上記第２の線条体がそれぞれ取付けられている側において、それぞれ第２の面取りが予め施され、
上記相隣る第１の立上り枠用側板にそれぞれ取付けられている第１の線条体が、上記相隣る第１の立上り枠用側板の上記第１の面取りが施されている側端縁から、互に重なるように且つその重なりの状態で結束できるように外方に突出延長し、上記相隣る第２の立上り枠用側板にそれぞれ取付けられている第２の線条体が、上記相隣る第２の立上り枠用側板の上記第２の面取りが施されている側端縁から互に重なるように且つその重なりの状態で結束できるように外方に突出延長していることを特徴とする住宅等の建築物を建築するための基礎形成法。
【請求項６】
請求項１記載の住宅等の建築物を建築するための基礎形成法において、
上記立上り枠を組立てる工程で用いる上記第１及び第２の立上り枠用側板中のいずれか一方または双方が、表面を化粧面としていることを特徴とする住宅等の建築物を建築するための基礎形成法。
【発明の詳細な説明】
【０００１】
【発明の属する技術分野】
本発明は、住宅等の建築物を建築する土地にその地表面下に埋設されたベース地業上の布基礎の構成要素としてのコンクリート基礎と、そのコンクリート基礎上から地表面上に突出している布基礎の他の構成要素としてのコンクリート立上りと、地表面上地業上のコンクリート層とを有する、住宅等の建築物を建築するための基礎を、形成する方法に関する。
【０００２】
【従来の技術】
従来、図１１〜図２３を伴って次に述べる住宅等の建築物を建築するための基礎形成法が提案されている。
【０００３】
すなわち、住宅等の建築物を建築する土地１に、その地表面１１から、後述するベース地業３の厚さと後述するコンクリート基礎８の厚さとの和よりも深い根切り底２３を有し且つ相対向する第１及び第２の内側面２１及び２２を有する根切り２を施す（図１１）。
【０００４】
次に、根切り２内に、その根切り底２３上において、平らな上面３１を有するベース地業３を、その上面３１が水平面に沿って延長するように、形成する（図１２）。
【０００５】
次に、ベース地業３の上面３１の延長途上の複数の位置に、相対向する平らな上面４５及び下面４６と、それらと直交する面上に延長している相対向する平らな第１及び第２の側面４１及び４２と、上面４５及び下面４６、及び第１及び第２の側面４１及び４２と直交する面上に延長している相対する平らな第３及び第４の側面４３及び４４とを有するとともに後述するコンクリート基礎８よりも薄い厚さを有する断面長方形の複数のベースブロック４を、それらの第１及び第２の側面４１及び４２を地根り２の第１及び第２の内側面２１及び２２にそれぞれ対向させて、それぞれ据付ける（図１３）。
【０００６】
次に、ベース地業３の上面３１上に、それと複数のベースブロック４の厚さとほぼ等しい間隔を保って平行に延長している第１の面（図示せず）に沿ってベース地業３の長さ方向に互いに平行に延長している複数の第１の鉄筋５１と、それら複数の第１の鉄筋５１が沿って延長している第１の面に沿ってベース地業３の幅方向に複数の第１の鉄筋５１と結束、溶接などによって連結して互いに平行に延長している複数の第２の鉄筋５２と、ベース地業３の上面３１と垂直な面に沿って第１の鉄筋５１と結束、溶接などによって連結して上方向に互いに平行に延長している複数の第３の鉄筋５３と、複数の第３の鉄筋５３と複数のベースブロック４の上面４５よりも高い高さ位置で結束、溶接などによって連結して第１の鉄筋５１と平行に延長している第４の鉄筋５４（図においては複数）とによる配筋を、複数の第１の鉄筋５１が複数のベースブロック４の上面４５によって受けられている態様で、行う（図１４）。
【０００７】
次に、ベース地業３の上面３１上において、その上面３１と垂直な面に沿い、且つ複数のベースブロック４をその第１及び第２の側面４１及び４２側でそれぞれそれらと対向するように且つ複数の第１の鉄筋５１と複数の第２の鉄筋５２と複数の第３の鉄筋５３の下部とを内包するように、互いに平行に相対向して延長している第１及び第２のベース枠用側板６１及び６２を有するベース枠６を、複数のベース枠組立用側板位置決め保持用具（図示せず）などを用いて、組立てる（図１５）。
【０００８】
次に、ベース枠６内、すなわち相対向している第１及び第２のベース枠用側板６１及び６２間に、コンクリートを打込むことによって、ベース地業３上に、ベース枠６によって取囲まれた、複数の第１の鉄筋５１と複数の第２の鉄筋５２と複数の第３の鉄筋５３の下部と複数のベースブロック４とを埋設しているコンクリート基礎８を形成する（図１６）。
【０００９】
次に、ベース地業３上から、ベース枠６、すなわち第１及び第２のベース枠用側板６１及び６２を、取外す（図１７）。
【００１０】
次に、コンクリート基礎８上において、それと垂直な面に沿い、且つ複数の第３の鉄筋５３の下部を除いた部と第４の鉄筋５４とを内包するように互いに平行に相対向して延長している第１及び第２の立上り枠用側板７１及び７２を有する立上り枠７を、複数の立上り枠組立用側板位置決め保持用具（図示せず）などを用いて、組立てる（図１８）。
【００１１】
次に、立上り枠７内、すなわち相対向している第１及び第２の立上り枠用側板７１及び７２間に、コンクリートを打込むことによって、コンクリート基礎８上に、立上り枠７によって取囲まれた、複数の第３の鉄筋５３の下部を除いた部と第４の鉄筋５４とを埋設しているコンクリート立上り９を、形成する（図１９）。
【００１２】
次に、コンクリート基礎８上から、立上り枠７、すなわち第１及び第２の立上り枠用側板７１及び７２を、取外す（図２０）。
【００１３】
次に、根切り２を埋戻すとともに、その埋戻した領域１’の一部または全ての地表面を含むまたは含まない地表面上（図においては、コンクリート立上り９の近傍領域を含む地表面上）に地表面地業１０を形成する（図２１）。
【００１４】
次に、地表面地業１０上に、枠を用いてまたは用いることなしに、コンクリートを打込むことによって、地表面地業１０上に、コンクリート層１０１を形成する（図２２及び図２３）。
【００１５】
以上が、従来提案されている住宅等の建築物を建築するための基礎形成法である。
【００１６】
このような従来の住宅等の建築物を建築するための基礎形成法によれば、住宅等の建築物を建築する土地１にその地表面１１下に埋設されたベース地業３上の布基礎の構成要素としてのコンクリート基礎８と、そのコンクリート基礎８上から地表面１１上に突出している布基礎の他の構成要素としてのコンクリート立上り９と、地表面上地業１０上のコンクリート層１０１とを有する、住宅等の建築物を建築するための基礎を、形成することができる。
【００１７】
なお、このように形成された住宅等の建築物を建築するための基礎によれば、それを用いることによって、すなわち、コンクリート立上り９上に、例えば、図２３に示すように、通気用窓（図示せず）を形成するためのスペーサ１０２を介して、木製の土台１０３を、水平面に沿って延長するように、固定して配し、また、コンクリート層１０１上に、つか１０４を立て、さらに、土台１０３に、木製の大引１０５を、その端面を土台１０３の側面に当接させ且つ延長途上をつか１０４によって受けさせて水平面に沿って延長するように、連結し、それら土台１０３及び大引１０５上に角柱（図示せず）を立てるなどをすることによって、住宅等の建築物を建築することができる。
【００１８】
【発明が解決しようとする課題】
図１１〜図２３に示す従来の住宅等の建築物を建築するための基礎形成法の場合、ベース地業３上のコンクリート基礎８を形成するのに、住宅等の建築物を建築する土地１に根切り２を施し（図１１）、次いでその根切り２内にベース地業３を形成し（図１２）、次いでベース地業３上にベースブロック４を据付け（図１３）、次いでベース地業３の上面３１上に第１の鉄筋５１、第２の鉄筋５２、第３の鉄筋５３及び第４の鉄筋５４とによる配筋を行う（図１４）という一連の工程の後、ベース地業３１上に第１及び第２のベース枠用側板６１及び６２を有するベース枠６を組立て（図１５）、次いでベース枠６内にコンクリートを打込む（図１６）という一連の工程を必要とする。
【００１９】
また、コンクリート基礎８上のコンクリート立上り９を形成するのに、上述したベース地業３上のコンクリート基礎８を形成する一連の工程後、ベース地業３上からベース枠６を取外し（図１７）、次いでコンクリート基礎８上に第１及び第２の立上り枠用側板７１及び７２を有する立上り枠７を組立て（図１８）、次いで立上り枠７内にコンクリートを打込む（図１９）という一連の工程を必要とする。
【００２０】
さらに、地表面上地業１０上のコンクリート層１０１を形成するのに、コンクリート基礎８上のコンクリート立上り９を形成する一連の工程の後、コンクリート基礎８上から立上り枠７を取外し（図２０）、次いで根切り２を埋戻すとともに地表面地業１０を形成し（図２１）、次いで地表面地業１０上にコンクリートを打込む（図１９）という一連の工程を必要とする。
【００２１】
このため、コンクリート基礎８を形成するためにコンクリートを打込むためのベース枠６の組立て（図１５）と、コンクリート立上り９を形成するためにコンクリートを打込むための立上り枠７の組立て（図１８）との間に、ベース枠６内にコンクリートを打込んでコンクリート基礎８を形成するという工程（図１６）とベース枠６を取外す工程（図１７）とが入るので、コンクリートを打込むための枠の組立てを、手間的にもまた時間的にも効率よく行うことができない、という欠点を有していた。
【００２２】
また、コンクリート基礎８を形成するためのコンクリートの打込み（図１６）と、コンクリート立上り９を形成するためのコンクリートの打込み（図１９）との間に、ベース枠６を取外し（図１７）、次いで立上り枠７を組立てる（図１８）という一連の工程が入り、また、コンクリート立上り９を形成するためのコンクリートの打込み（図１９）と、コンクリート層１０１を形成するためのコンクリートを打込み（図２２及び図２３）との間に、立上り枠７を取外し（図２０）、次いで根切り２を埋戻すとともに地表面地業１０を形成する（図２１）という一連の工程が入るので、コンクリートを打込みを、手間的にもまた時間的にも、さらにコンクリート材料上からも、効率よく行うことができない、という欠点を有していた。
【００２３】
さらに、ベース枠６をコンクリート基礎８を形成して後取外す工程（図１７）と、立上り枠７をコンクリート立上り９を形成し（図１９）て後取外す工程（図２０）とを必要とするとともに、ベース枠６を構成するのに用いた第１及び第２のベース枠用側板６１及び６２、及び立上り枠７を構成するのに用いた第１及び第２の立上り枠用側板７１及び７２を土地１上から搬出しなければならない、という欠点を有していた。
【００２４】
よって、本発明は、上述した欠点のない、新規な住宅等の建築物を建築するための基礎形成法を提案せんとするものである。
【００２５】
【課題を解決するための手段】
本発明による住宅等の建築物を建築するための基礎形成法は、（１）住宅等の建築物を建築する土地に、その地表面から、後記ベース地業の厚さと後記ベースブロックの厚さとの和よりも深い根切り底を有し且つ第１及び第２の内側面を有する根切りを施す工程と、（２）その工程後、上記根切り内に、平らな上面を有するベース地業を形成する工程と、（３）上記ベース地業の上面の延長途上の複数の位置に、相対向する平らな上下面とそれらと直交する面上に延長している相対向する平らな第１及び第２の側面と上記上下面及び上記第１及び第２の側面と直交する面上に延長している相対する平らな第３及び第４の側面とを有する複数のベースブロックをそれらの第１及び第２の側面を上記地根りの第１及び第２の内側面にそれぞれ対向させてそれぞれ据付ける工程と、（４）その工程後、上記ベース地業の上面上に、それと複数のベースブロックの高さ以下の間隔を保って平行に延長している第１の面に沿って上記ベース地業の長さ方向に互いに平行に延長している複数の第１の鉄筋と、上記第１の面に沿って上記ベース地業の幅方向に上記複数の第１の鉄筋と連結して互いに平行に延長している複数の第２の鉄筋と、上記ベース地業の上面と垂直な面に沿つて上記第１の鉄筋と連結して上方向に互いに平行に延長している複数の第３の鉄筋と、上記複数の第３の鉄筋と上記複数のベースブロックの上面よりも高い高さ位置で連結して上記第１の鉄筋と平行に延長している第４の鉄筋とによる配筋を行う工程と、（５）その工程後、上記ベース地業の上面上において、（ａ）それと垂直な面に沿い、且つ上記複数のベースブロックをそれらの上面側で橋架するように且つ上記複数の第３の鉄筋の下部を除いた部及び上記第４の鉄筋を内包するように互いに平行に相対向して延長している第１及び第２の立上り枠用側板を有する立上り枠を組立てるとともに、（ｂ）上記ベース地業の上面と垂直な面に沿い且つ上記複数のベースブロックをその第１及び第２の側面側でそれぞれ橋架するように且つ上記複数の第１の鉄筋、上記複数の第２の鉄筋及び上記複数の第３の鉄筋の下部を内包するように互いに平行に相対向して延長している第１及び第２のベース枠用側板と、上記ベース地業の上面と平行な面に沿い且つ上記複数のベースブロックをそれらの上面の上記第１の立上り枠用側板及び第１のベース枠用側板間、及び上記第２の立上り枠用側板及び第２のベース枠用側板間でそれぞれ橋架するように互いに平行に延長している第１及び第２のベース枠用上板とを有するベース枠を組立てる工程と、（６）その工程後、上記根切りを埋戻すとともに、その埋戻した領域の一部または全ての地表面を含むまたは含まない地表面上に地表面地業を形成する工程と、（７）その工程後、（イ）上記ベース枠及び上記立上り枠内に、上記立上り枠上側から、コンクリートを打込むことによって、（ａ）上記ベース地業上に、上記べース枠によって取囲まれた、それと一体の、上記複数の第１の鉄筋と上記複数の第２の鉄筋と上記複数の第３の鉄筋の下部と上記ベースブロックとを埋設しているコンクリート基礎を形成し、且つ（ｂ）そのコンクリート基礎上に、上記立上り枠によって取囲まれた、それと一体の、上記複数の第３の鉄筋の下部を除いた部及び上記第４の鉄筋を埋設しているコンクリート立上りを形成するとともに、（ロ）地表面地業上に、コンクリートを打込むことによって、コンクリート層を形成する工程とを有する。
【００２６】
この場合、上記根切り内に上記複数のベースブロックを据付ける工程における上記複数のベースブロックのそれぞれが、上記第３及び第４の側面間に延長している複数の溝を有し、上記ベース地業の上面上に配筋を行う工程において、上記複数の第１の鉄筋を上記複数のベースブロックのそれぞれの上記複数の溝内に延長させるのを可とする。
【００２７】
また、（ａ）上記立上り枠を組立てる工程におけるその組立に、上記複数のベースブロックの上面上にそれぞれ位置決めして配される複数の立上り枠組立用側板位置決め保持用具を用い、（ｂ）それら複数の立上り枠組立用側板位置決め保持用具のそれぞれが、上記ベースブロックの上面上に配される基板部と、その基板部の板面からそれと一体に上方に延長している、上記第１及び第２の立上り枠用側板の下端部を上記第１及び第２の立上り枠用側板が上記ベース地業の上面と垂直な面に沿って延長するようにそれぞれ保持する第１及び第２の対の位置決め保持用片とを有するのを可とする。
【００２８】
さらに、（ａ）上記立上り枠を組立てる工程におけるその組立てに、上記第１及び第２の立上り枠用側板にそれぞれ予め取付けられいる、上記第１及び第２の立上り枠用側板の内面にそれぞれ沿い且つ互に対応する上下位置を通って横方向に延長している第１及び第２の線条体と、上記第１及び第２の立上り枠用側板を予定の間隔を保って上記ベース地業と垂直な面に沿って延長するように保持させる複数の立上り枠組立用側板間間隔保持用具とを用い、（ｂ）上記複数の立上り枠組立用側板間間隔保持用具のそれぞれが、上記第１及び第２の立上り枠用側板間間隔を保持させる間隔保持用板部と、その間隔保持用板部の両端からそれと一体に下方に延長している、上記第１の立上り枠用側板及び上記第１の線条間、及び上記第２の立上り枠用側板及び上記第２の線条間にそれぞれ差し込む第１及び第２の差込片とを有するのを可とする。
【００２９】
また、（ａ）上記立上り枠を組立てる工程において、上記第１の立上り枠用側板を複数用い、それら複数の第１の立上り枠用側板を順次連接させるとともに、上記第２の立上り枠用側板を複数用い、それら複数の第２の立上り枠用側板を順次連接させ、（ｂ）上記複数の第１及び第２の立上り枠用側板にそれぞれ予め取付けられいる、上記第１及び第２の立上り枠用側板の内面にそれぞれ沿い且つ互に対応する上下位置を通って横方向に延長している第１及び第２の線条体と、上記第１及び第２の立上り枠用側板を予定の間隔を保って上記ベース地業と垂直な面に沿って延長するように保持させる複数の立上り枠組立用側板間間隔保持用具とを用い、（ｃ）上記複数の立上り枠組立用側板間間隔保持用具のそれぞれが、上記第１及び第２の立上り枠用側板間間隔を保持させる間隔保持用板部と、その間隔保持用板部の両端からそれと一体に下方に延長している、上記第１の立上り枠用側板及び上記第１の線条間、及び上記第２の立上り枠用側板及び上記第２の線条間にそれぞれ差し込む第１及び第２の差込片とを有し、（ｄ）上記複数の第１の立上り枠用側板中の相隣る第１の立上り枠用側板の互に連接する側の側端縁には、上記第１の線条体がそれぞれ取付けられている側において、それぞれ第１の面取りが予め施され、上記複数の第２の立上り枠用側板中の相隣る第２の立上り枠用側板の互に連接する側の側端縁には、上記第２の線条体がそれぞれ取付けられている側において、それぞれ第２の面取りが予め施され、（ｅ）上記相隣る第１の立上り枠用側板にそれぞれ取付けられている第１の線条体が、上記相隣る第１の立上り枠用側板の上記第１の面取りが施されている側端縁から、互に重なるように且つその重なりの状態で結束できるように外方に突出延長し、上記相隣る第２の立上り枠用側板にそれぞれ取付けられている第２の線条体が、上記相隣る第２の立上り枠用側板の上記第２の面取りが施されている側端縁から互に重なるように且つその重なりの状態で結束できるように外方に突出延長しているのを可とする。
【００３０】
さらに、上記立上り枠を組立てる工程で用いる上記第１及び第２の立上り枠用側板中のいずれか一方または双方が、表面を化粧面としているのを可とする。
【００３１】
【発明の実施の形態１】
次に、図１〜図１０を伴って、本発明による住宅等の建築物を建築するための基礎形成法の実施の形態を述べよう。
図１〜図１０において、図１１〜図２３との対応部分には同一符号を付して示す。
【００３２】
図１〜図１０に示す本発明による住宅等の建築物を建築するための基礎形成法は、次に述べる順次の工程をとって、住宅等の建築物を建築する土地にその地表面下に埋設されたベース地業上の布基礎の構成要素としてのコンクリート基礎と、そのコンクリート基礎上から地表面上に突出している布基礎の他の構成要素としてのコンクリート立上りと、地表面上地業上のコンクリート層とを有する、住宅等の建築物を建築するための基礎を、形成する。
【００３３】
すなわち、図１１〜図２３に示す従来の住宅等の建築物を建築するための基礎形成法の場合と同様に、、住宅等の建築物を建築する土地１に、その地表面１１から、後述するベース地業３の厚さと後述するベースブロック４の厚さとの和よりも深い根切り底２３を有し且つ相対向する第１及び第２の内側面２１及び２２を有する根切り２を施す（図１）。
【００３４】
次に、根切り２内に、図１１〜図２３に示す従来の住宅等の建築物を建築するための基礎形成法の場合と同様に、根切り底２３上において、平らな上面３１を有するベース地業３を、その上面３１が水平面に沿って延長するように、形成する（図２）。
【００３５】
次に、ベース地業３の上面３１の延長途上の複数の位置に、図１１〜図２３に示す従来の住宅等の建築物を建築するための基礎形成法の場合に準じて、相対向する平らな上面４５及び下面４６と、それらと直交する面上に延長している相対向する平らな第１及び第２の側面４１及び４２と、上面４５及び下面４６、及び第１及び第２の側面４１及び４２と直交する面上に延長している相対する平らな第３及び第４の側面４３及び４４とを有するとともに後述するコンクリート基礎８とほぼ同じ例えば１５０ｍｍの厚さを有する断面長方形の複数のベースブロック４を、それらの第１及び第２の側面４１及び４２を根切り２の第１及び第２の内側面２１及び２２にそれぞれ対向させて、それぞれ据付ける（図３）。
この場合、複数のベースブロック４のそれぞれに、上面４５側から形成された、第３及び第４の側面４３及び４４間に延長している複数の溝４７が、その底とベースブロック４の下面４６との間に例えば６０ｍｍの厚さの基部を残す態様で、形成されている。
【００３６】
次に、ベース地業３の上面３１上に、図１１〜図２３に示す従来の住宅等の建築物を建築するための基礎形成法の場合に準じて、ベース地業３の上面３１と複数のベースブロック４の高さ以下の間隔を保って平行に延長している第１の面（図示せず）に沿ってベース地業３の長さ方向に互いに平行に延長している複数の第１の鉄筋５１と、それら複数の第１の鉄筋５１が沿って延長している第１の面に沿ってベース地業３の幅方向に複数の第１の鉄筋５１と結束、溶接などによって連結して互いに平行に延長している複数の第２の鉄筋５２と、ベース地業３の上面３１と垂直な面に沿って第１の鉄筋５１と結束、溶接などによって連結して上方向に互いに平行に延長している複数の第３の鉄筋５３と、複数の第３の鉄筋５３と複数のベースブロック４の上面４５よりも高い高さ位置で結束、溶接などによって連結して第１の鉄筋５１と平行に延長している第４の鉄筋５４とによる配筋を行う（図４）。
この場合、複数の第１の鉄筋５１を、複数のベースブロック４のそれぞれの複数の溝４７内に、それら複数の溝４７によって受けさせる態様で、それぞれ延長させる。
【００３７】
次に、ベース地業３の上面３１上において、それと垂直な面に沿い且つ複数のベースブロック４をそれらの上面４５側で橋架するように且つ複数の第３の鉄筋５３の下部を除いた部及び第４の鉄筋５４を内包するように互いに平行に相対向して延長している第１及び第２の立上り枠用側板７１及び７２を有する立上り枠７を、次のようにして、組立てる（図５）。
【００３８】
すなわち、第１及び第２の立上り枠用側板７１及び７２を有する立上り枠７を組立てるのに、複数のベースブロック４の上面４５上にそれぞれ位置決めして配される複数の立上り枠組立用側板位置決め保持用具２０１を用いる。この場合、複数の立上り枠組立用側板位置決め保持用具２０１のそれぞれは、図６に示すように、ベースブロック４の上面４５上に配される基板部３００と、その基板部３００の板面からそれと一体に上方に延長している、第１、及び第２の立上り枠用側板７１、及び７２の下端部を第１、及び第２の立上り枠用側板７１、及び７２がベース地業３の上面３１と垂直な面に沿って延長するようにそれぞれ保持する第１、及び第２の対の位置決め保持用片３０１ａ及び３０１ｂ、及び３０２ａ及び３０２ｂとを有し、第１の対の位置決め保持用片３０１ａ及び３０１ｂ中の位置決め保持用片３０１ａは基板部３００の一端から上方に折り曲げ形成された片でなり、位置決め保持用片３０１ｂは基板部３００の一部を切り起こして形成された片でなり、また、第２の対の位置決め保持用片３０２ａ及び３０２ｂ中の位置決め保持用片３０２ａは基板部３００の他端から上方に折り曲げ形成された片でなり、位置決め保持用片３０２ｂは基板部３００の一部を切り起こして形成された片でなる。
【００３９】
また、第１及び第２の立上り枠用側板７１及び７２を有する立上り枠７を組立てるのに、図７Ａに示すような、第１及び第２の立上り枠用側板７１及び７２に例えば結束４０３及び４０４によってそれぞれ予め取付けられいる、第１及び第２の立上り枠用側板７１及び７２の内面にそれぞれ沿い且つ互に対応する上下位置を通って横方向に延長している第１及び第２の線条体４０１及び４０２と、第１及び第２の立上り枠用側板７１及び７２を予定の間隔を保ってベース地業３と垂直な面に沿って延長するように保持させる複数の立上り枠組立用側板間間隔保持用具５０１とを用いる。この場合、複数の立上り枠組立用側板間隔保持用具５０１のそれぞれは、第１及び第２の立上り枠用側板７１及び７２間間隔を保持させる間隔保持用板部６００と、その間隔保持用板部６００の両端からそれと一体に下方に延長している、第１の立上り枠用側板７１及び第１の線条４０１間、及び第２の立上り枠用側板７２及び第２の線条４０２間にそれぞれ差し込む第１、及び第２の差込片６０１、及び６０２とを有する。
【００４０】
そして、複数の立上り枠組立用側板位置決め保持用具２０１を、複数のベースブロック４の上面４５上に、例えば釘打ちによって、それぞれ、第１の対の位置決め保持用片３０１ａ及び３０１ｂが根切り２の内側面２１側になるように、位置決めして、固定して配し、その状態から、第１の立上り枠用側板７１を、その第１の線条体４０１を取付けている面が根切り２の内側面２２側に向いている状態で、その下端部を第１の対の位置決め保持用片３０１ａ及び３０１ｂ間に狭着させるようにして、第１の対の位置決め保持用片３０１ａ及び３０１ｂに植立保持させるとともに、第２の立上り枠用側板７２を、その第２の線条体４０２を取付けている面が根切り２の内側面２１側に向いている状態で、その下端部を第２の対の位置決め保持用片３０２ａ及び３０２ｂ間に狭着させるようにして、第２の対の位置決め保持用片３０２ａ及び３０２ｂに植立保持させ、その際、複数の立上り枠組立用側板間間隔保持用具５０１を、それらの第１、及び第２の差込片６０１、及び６０２を、第１の立上り枠用側板７１及び第１の線条４０１間、及び第２の立上り枠用側板７２及び第２の線条４０２間にそれぞれ差し込むことによって、第１及び第２の立上り枠用側板７１及び７２を有する立上り枠７を、組立てる。
【００４１】
なお、このような立上り枠７の組立てにおいて、第１の立上り枠用側板７１を複数用い、それら複数の第１の立上り枠用側板７１を、図７Ｂに示すように、順次連接させ、また、第２の立上り枠用側板７２も複数用い、それら複数の第２の立上り枠用側板７２を、図７Ｂに示すように、順次連接させることができる。そして、この場合、複数の第１の立上り枠用側板７１について、その相隣る第１の立上り枠用側板７１を第１の立上り枠用側板７１−Ａ及び７１−Ｂとし、また、それらにそれぞれ取付けられている第１の線条体４０１を第１の線条体４０１−Ａ及び４０１Ｂとするとき、第１の立上り枠用側板７１−Ａの第１の立上り枠用側板７１−Ｂ側の側端縁、及び第１の立上り枠用側板７１−Ｂの第１の立上り枠用側板７１−Ａ側の側端縁に、第１の線条体４０１−Ａ、及び４０１−Ｂをそれぞれ取付けている側において、図７Ｂ中、符号７１３で示すように、面取り（切欠き）を予め施し置き、一方、第１の立上り枠用側板７１−Ａ及び７１−Ｂにそれぞれ取付けている第１の線条体４０１−Ａ及び４０１−Ｂを、第１の立上り枠用側板７１−Ａ及び７１−Ｂの面取り（切欠き）７１３−Ａ及び７１３−Ｂを施している側端縁から例えば３０ｍｍ程度の長さだけ外方に延長しているものとし、そして、相隣る第１の立上り枠用側板７１−Ａ及び７１−Ｂを連接させるとき、その連接を、面取り（切欠き）７１３の施されている側で、第１の立上り枠用側板７１−Ａ上の第１の線条体４０１−Ａの延長部と第１の立上り枠用側板７１−Ｂ上の第１の線条体４０１−Ｂの延長部とが上下に重ね合わされた状態で行い、そして、その重ね合わされた状態を、面取り（切欠き）７１３の位置に対応する位置において、結束７１４する。
【００４２】
また、複数の第２の立上り枠用側板７２についても、その相隣る第１の立上り枠用側板７２を第２の立上り枠用側板７２−Ａ及び７２−Ｂとし、また、それらにそれぞれ取付けられている第２の線条体４０２を第２の線条体４０２−Ａ及び４０２Ｂとするとき、第２の立上り枠用側板７２−Ａの第２の立上り枠用側板７２−Ｂ側の側端縁、及び第２の立上り枠用側板７２−Ｂの第２の立上り枠用側板７２−Ａ側の側端縁に、第２の線条体４０２−Ａ、及び４０２−Ｂをそれぞれ取付けている側において、図７Ｂ中、符号７２３で示すように、面取り（切欠き）を予め施し置き、一方、第２の立上り枠用側板７２−Ａ及び７２−Ｂにそれぞれ取付けている第２の線条体４０２−Ａ及び４０２−Ｂを、第２の立上り枠用側板７２−Ａ及び７２−Ｂの面取り（切欠き）７２３−Ａ及び７２３−Ｂを施している側端縁から例えば３０ｍｍ程度の長さだけ外方に延長しているものとし、そして、相隣る第２の立上り枠用側板７２−Ａ及び７２−Ｂを連接させるとき、その連接を、面取り（切欠き）７２３の施されている側で、第２の立上り枠用側板７２−Ａ上の第２の線条体４０２−Ａの延長部と第２の立上り枠用側板７２−Ｂ上の第２の線条体４０２−Ｂの延長部とが上下に重ね合わされた状態で行い、そして、その重ね合わされた状態を、面取り（切欠き）７２３の位置に対応する位置において、結束７２４する。
【００４３】
また、上述した立上り枠７の組立てにおいて、第１及び第２の立上り枠用側板７１及び７２中のいずれか一方または双方（図においては、第２の立上り枠用側板７２）が、表面（図においては、第２の立上り枠用側板７２の第２の線条体４０２を取付けている面側とは反対側の面）を化粧面７２２としている。
【００４４】
また、上述した立上り枠７の組立ての後または前、もしくは上述した立上り枠７を組立てながら、ベース地業３の上面３１上において、それと垂直な面に沿い且つ複数のベースブロック４を第１及び第２の側面４１及び４２側でそれぞれ橋架するように且つ複数の第１の鉄筋５１、複数の第２の鉄筋５２及び複数の第３の鉄筋５３の下部を内包するように互に平行に相対向して延長している第１及び第２のベース枠用側板６１１及び６２１と、ベース地業３の上面３１と平行な面に沿い且つ複数のベースブロック４をそれらの上面４５の第１の立上り枠用側板７１及び第１のベース枠用側板６１１間、及び第２の立上り枠用側板７２及び第２のベース枠用側板６２１間でそれぞれ橋架するように互に平行に延長している第１及び第２のベース枠用上板６１２及び６２２とを有するベース枠６を、組立てる（図５）。
この場合、第１のベース枠用側板６１１及び第１のベース枠用上板６１２、及び第２のベース枠用側板６２１及び第２のベース枠用上板６２２は、それぞれ断面逆Ｌ字状に一体化され、そして、第１及び第２のベース枠用上板６１２及び６２２をベースブロック４の上面４５に受けさせている。
【００４５】
次に、根切り２を埋戻すとともに、図１１〜図２３に示す従来の住宅等の建築物を建築するための基礎形成法の場合と同様に、その埋戻した領域１′の一部または全ての地表面を含むまたは含まない地表面上（図においては、コンクリート立上り９の近傍領域を含む地表面上）に地表面地業１０を形成する（図８）。
【００４６】
次に、（イ）ベース枠６及び立上り枠７内に、立上り枠７上側から、コンクリートを打込むことによって、（ａ）ベース地業３上に、ベース枠６によって取囲まれた、それと一体の、複数の第１の鉄筋５１、複数の第２の鉄筋５２及び複数の第３の鉄筋５３の下部と、複数のベースブロック４とを埋設しているコンクリート基礎８を形成し、且つ（ｂ）そのコンクリート基礎８上に、立上り枠７によって取囲まれた、それと一体の、複数の第３の鉄筋５３の下部を除いた部及び第４の鉄筋５４を、立上り枠７の第１及び第２の立上り枠用側板７１及び７２にそれぞれ取付けた第１及び第２の線条体４０１及び４０２、及び立上り枠用側板間間隔保持用具５０１とともに埋設しているコンクリート立上り９を形成するとともに、（ロ）土地１の、根切り２を埋戻した領域１′の一部または全ての表面を含むまたは含まない表面上（図においては、コンクリート立上り９の近傍領域を含む地表面上）に形成された地表面地業１０上に、枠を用いてまたは用いることなしに、コンクリートを打込むことによって、コンクリート層１０１を形成する（図９及び図１０）。
以上が、本発明による住宅等の建築物を建築するための基礎形成法の実施の形態である。
【００４７】
このような本発明による住宅等の建築物を建築するための基礎形成法の実施の形態によれば、図１１〜図２３に示す従来の住宅等の建築物を建築するための基礎形成法の場合と同様に、住宅等の建築物を建築する土地１にその地表面１１下に埋設されたベース地業３上の布基礎の構成要素としてのコンクリート基礎８と、そのコンクリート基礎８上から地表面１１上に突出している布基礎の他の構成要素としてのコンクリート立上り９と、地表面上地業１０上のコンクリート層１０１とを有する、住宅等の建築物を建築するための基礎を、形成することができる。
【００４８】
なお、このように形成された住宅等の建築物を建築するための基礎によれば、図１１〜図２３に示す従来の住宅等の建築物を建築するための基礎形成法で述べたと同様に、その基礎を用いることによって、すなわち、コンクリート立上り９上に、例えば、図１０に示すように、通気用窓（図示せず）を形成するためのスペーサ１０２を介して、木製の土台１０３を、水平面に沿って延長するように、固定して配し、また、コンクリート層１０１上に、つか１０４を立て、さらに、角柱１０３に、木製の大引１０５を、その端面を土台１０３の側面に当接させ且つ延長途上をつか１０４によって受けさせて水平面に沿って延長するように、連結し、それら土台１０３及び大引１０５上に角柱（図示せず）を立てるなどをすることによって、住宅等の建築物を建築することができる。
【００４９】
しかしながら、図１〜図１０に示す本発明による住宅等の建築物を建築するための基礎形成法の実施の形態によれば、ベース地業３上のコンクリート基礎８を形成するのに、図１１〜図２３に示す従来の住宅等の建築物を建築するための基礎形成法の場合に準じて、住宅等の建築物を建築する土地１に根切り２を施し（図１）、次いでその根切り２内にベース地業３を形成し（図２）、次いでベース地業３上にベースブロック４を据付け（図３）、次いでベース地業３の上面３１上に第１の鉄筋５１、第２の鉄筋５２、第３の鉄筋５３及び第４の鉄筋５４とによる配筋を行う（図４）という一連の工程の後、ベース地業３１上に第１及び第２のベース枠用側板６１１及び６２１、及び第１及び第２のベース枠用上板６１２及び６２２を有するベース枠６を組立て（図５）、次いでベース枠６内にコンクリートを打込む（図１０）という一連の工程を必要とするが、（ａ）コンクリート基礎８上のコンクリート立上り９を形成するのに、図１１〜図２３に示す従来の住宅等の建築物を建築するための基礎形成法の場合のように、ベース地業３上のコンクリート基礎８を形成する一連の工程後、というのではなく、ベース地業３上にベース枠６を組立てる際、ベース地業３上に第１及び第２の立上り枠用側板７１及び７２を有する立上り枠７を組立て（図５）、次いで、ベース枠６内にコンクリートを打込んでコンクリート基礎８を形成する際、立上り枠７内にコンクリートを打込む（図１０）という工程をとり、また、（ｂ）地表面上地業１０上のコンクリート層１０１を形成するのに、図１１〜図２３に示す従来の住宅等の建築物を建築するための基礎形成法の場合のように、ベース地業３上にコンクリート基礎８を形成する一連の工程をとり、次でその工程後にコンクリート基礎８上にコンクリート立上り９を形成する一連の工程をとり、次で、コンクリート基礎８上から立上り枠７を取外し、次いで根切り２を埋戻すとともに地表面地業１０を形成する工程をとって後、というのではなく、ベース地業３上にベース枠６及び立上り枠７を組立て（図５）、次で根切り２を埋戻すとともに地表面地業１０を形成する（図８）という工程をとり、ベース枠６及び立上り枠７内にコンクリートを打込んでコンクリート基礎８及びコンクリート立上り９を形成する際、地表面地業１０上にコンクリートを打込む（図９）という工程をとる。
【００５０】
このため、コンクリート基礎８を形成するためにコンクリートを打込むためのベース枠６の組立てと、コンクリート立上り９を形成するためにコンクリートを打込むための立上り枠７の組立てとの間に、図１１〜図２３に示す従来の住宅等の建築物を建築するための基礎形成法の場合のように、ベース枠６内にコンクリートを打込んでコンクリート基礎８を形成するという工程とベース枠６を取外す工程とが入る、ということがなく、よって、コンクリートを打込むための枠の組立てを、手間的にもまた時間的にも、図１１〜図２３に示す従来の住宅等の建築物を建築するための基礎形成法の場合の場合に比し、効率よく行うことができる。
【００５１】
また、コンクリート基礎８を形成するためのコンクリートの打込みと、コンクリート立上り９を形成するためのコンクリートの打込みとの間に、図１１〜図２３に示す従来の住宅等の建築物を建築するための基礎形成法の場合のように、ベース枠６を取外し、次いで立上り枠７を組立てるという一連の工程が入る、ということがなく、また、コンクリート立上り９を形成するためのコンクリートの打込みと、コンクリート層１０１を形成するためのコンクリートを打込みとの間に、図１１〜図２３に示す従来の住宅等の建築物を建築するための基礎形成法の場合のように、立上り枠７を取外し、次いで根切り２を埋戻すとともに地表面地業１０を形成するという一連の工程が入る、ということがなく、よって、コンクリートを打込みを、手間的にもまた時間的にも、さらにコンクリート材料上からも、図１１〜図２３に示す従来の住宅等の建築物を建築するための基礎形成法の場合に比し、効率よく行うことができる。
【００５２】
さらに、図１１〜図２３に示す従来の住宅等の建築物を建築するための基礎形成法のように、ベース枠６をコンクリート基礎８を形成して後取外し、また立上り枠７をコンクリート立上り９を形成して後取外す、という工程をとらないので、その分、手間と時間を省くことができるとともに、ベース枠６を構成するのに用いた第１及び第２のベース枠用側板６１１及び６２１、及び第１及び第２のベース枠用上板６１２及び６２２；及び立上り枠９を構成するのに用いた第１及び第２の立上り枠用側板７１及び７２を土地１上から搬出する、という手間と時間とも省くことができる。
【００５３】
また、図１〜図１０に示す本発明による住宅等の建築物を建築するための基礎形成法の実施の形態によれば、根切り２内に形成されたベース地業３上に複数のベースブロック４を据付ける工程（図３）における複数のベースブロック４のそれぞれが、第３及び第４の側面４３及び４４間に延長している複数の溝４７を有し、そして、ベース地業３の上面上に第１〜第４の鉄筋５４による配筋を行う工程（図４）において、複数の第１の鉄筋５１を複数のベースブロック４のそれぞれの複数の溝４７内に延長させるようにしているので、複数の第１の鉄筋５１を、ベース地業３上にその長さ方向に間断なく延長させることができ、よって、コンクリート基礎８を形成する工程（図９）において、そのコンクリート基礎８を強固に形成することができる。
【００５４】
さらに、立上り枠７を組立てる工程（図５）におけるその組立に、複数のベースブロック４の上面４５上にそれぞれ位置決めして配される複数の立上り枠組立用側板位置決め保持用具２０１（図６）を用い、そして、それら複数の立上り枠組立用側板位置決め保持用具２０１のそれぞれが、ベースブロック４の上面４５上に配される基板部３００と、その基板部３００の板面からそれと一体に上方に延長している、第１、及び第２の立上り枠用側板７１、及び７２の下端部を第１、及び第２の立上り枠用側板７１、及び７２がベース地業３の上面３１と垂直な面に沿って延長するようにそれぞれ保持する第１、及び第２の対の位置決め保持用片３０１ａ及び３０１ｂ、及び３０２ａ及び３０２ｂとを有するので、第１及び第２の立上り枠用側板７１及び７２を、ベース地業３上に、予定の間隔を保って容易、確実に植立させることができる。
【００５５】
また、立上り枠７を組立てる工程（図５）におけるその組立に、第１及び第２の立上り枠用側板７１及び７２にそれぞれ予め取付けられいる、第１及び第２の立上り枠用側板７１及び７２の内面にそれぞれ沿い且つ互に対応する上下位置を通って横方向に延長している第１及び第２の線条体４０１及び４０２と、第１及び第２の立上り枠用側板７１及び７２を予定の間隔を保ってベース地業３と垂直な面に沿って延長するように保持させる複数の立上り枠組立用側板間間隔保持用具５０１とを用い（図７）、そして、複数の立上り枠組立用側板間間隔保持用具５０１のそれぞれが、第１及び第２の立上り枠用側板７１及び７２間間隔を保持させる間隔保持用板部６００と、その間隔保持用板部６００の両端からそれと一体に下方に延長している、第１の立上り枠用側板７１及び第１の線条４０１間、及び第２の立上り枠用側板７２及び第２の線条４０２間にそれぞれ差し込む第１及び第２の差込片６０１及び６０２とを有するので、第１及び第２の立上り枠用側板７１及び７２を、ベース地業３上に、予定の間隔を保って容易、確実に植立させることができる。
【００５６】
さらに、立上り枠７を組立てる工程（図５）において、（ａ）第１の立上り枠用側板７１を複数用い、それら複数の第１の立上り枠用側板７１を順次連接させるとともに、第２の立上り枠用側板７２を複数用い、それら複数の第２の立上り枠用側板７２を順次連接させ、（ｂ）複数の第１及び第２の立上り枠用側板７１及び７２にそれぞれ予め取付けられいる、第１及び第２の立上り枠用側板７１及び７２の内面にそれぞれ沿い且つ互に対応する上下位置に横方向に延長している第１及び第２の線条体４０１及び４０２と、第１及び第２の立上り枠用側板７１及び７２を予定の間隔を保ってベース地業３と垂直な面に沿って延長するように保持させる複数の立上り枠組立用側板間間隔保持用具５０１とを用い、そして、複数の立上り枠組立用側板間間隔保持用具５０１のそれぞれが、第１及び第２の立上り枠用側板７１及び７２間間隔を保持させる間隔保持用板部６００と、その間隔保持用板部６００の両端からそれと一体に下方に延長している、第１の立上り枠用側板７１及び第１の線条４０１間、及び第２の立上り枠用側板７２及び第２の線条４０２間にそれぞれ差し込む第１及び第２の差込片６０１及び６０２とを有し、（ｃ）複数の第１の立上り枠用側板７１中の相隣る第１の立上り枠用側板７１の互に連接する側の側端縁には第１の線条体４０１がそれぞれ取付けられている側において、それぞれ第１の面取り７１３が予め施され、複数の第２の立上り枠用側板７２中の相隣る第２の立上り枠用側板７２の互に連接する側の側端縁には、第２の線条体４０２がそれぞれ取付けられている側において、それぞれ第２の面取り７２３が予め施され、（ｄ）相隣る第１の立上り枠用側板７１にそれぞれ取付けられている第１の線条体４０１が、相隣る第１の立上り枠用側板７１の第１の面取り７１３が施されている側端縁から、互に重なるように且つその重なりの状態で結束できるように外方に突出延長し、相隣る第２の立上り枠用側板７２にそれぞれ取付けられている第２の線条体４０２が、相隣る第２の立上り枠用側板７２の第２の面取り７２３が施されている側端縁から、互に重なるように且つその重なりの状態で結束できるように外方に突出延長しているので、複数の第１の立上り枠用側板７１を順次連接している状態にさせるとともに、複数の第２の立上り枠用側板７２を順次連接している状態にさせることが、容易、確実にできる。
【００５７】
また、立上り枠７を組立てる工程（図５）で用いる第１及び第２の立上り枠用側板７１及び７２中のいずれか一方または双方が、表面を化粧面としているので、そのような化粧面の必要な立上り枠用側板に、別途用意した化粧板を貼着したりする必要がない。
【００５８】
なお、上述においては、本発明による住宅等の建築物を建築するための基礎形成法の１つの実施の形態を示したに留まり、本発明の精神を脱することなしに種々の変型、変更をなし得るであろう。
【００５９】
【発明の効果】
本発明による住宅等の建築物を建築するための基礎形成法によれば、コンクリート基礎を形成するためにコンクリートを打込むためのベース枠の組立て、及びコンクリート立上りを形成するためにコンクリートを打込むための立上り枠の組立てを、手間的にも時間的にも効率よく行うことができ、またコンクリート基礎を形成するためのコンクリートの打込み、コンクリート立上りを形成するためのコンクリートの打込み、及び地表面上地業上のコンクリート層を形成するためのコンクリート打込みを、手間的にも時間的にも、さらに、材料上からも、効率良く行うことができ、さらに、コンクリート基礎及びコンクリート立上りをベース枠をそれぞれ用いて形成して後、それらベース枠及び立上り枠を取外す必要がないとともに住宅等の建築物を建築する場所から他の場所に搬出する必要がない。
【図面の簡単な説明】
【図１】本発明による住宅等の建築物を建築するための基礎形成法の実施の形態の説明に供する、最初の工程を示す略線的平面図（図１Ａ）及びそのＢ−Ｂ線上の断面図（図１Ｂ）である。
【図２】本発明による住宅等の建築物を建築するための基礎形成法の実施の形態の説明に供する、図１に示す工程に続く工程を示す略線的平面図（図２Ａ）及びそのＢ−Ｂ線上の断面図（図２Ｂ）である。
【図３】本発明による住宅等の建築物を建築するための基礎形成法の実施の形態の説明に供する、図２に示す工程に続く工程を示す略線的平面図（図３Ａ）及びそのＢ−Ｂ線上の断面図（図３Ｂ）である。
【図４】本発明による住宅等の建築物を建築するための基礎形成法の実施の形態の説明に供する、図３に示す工程に続く工程を示す略線的平面図（図４Ａ）及びそのＢ−Ｂ線上の断面図（図４Ｂ）である。
【図５】本発明による住宅等の建築物を建築するための基礎形成法の実施の形態の説明に供する、図４に示す工程に続く工程を示す略線的平面図（図５Ａ）及びそのＢ−Ｂ線上の断面図（図５Ｂ）である。
【図６】本発明による住宅等の建築物を建築するための基礎形成法の実施の形態の説明に供する、図５において用いる立上り枠組立用側板位置決め保持用具を示す略線的斜視図である。
【図７】本発明による住宅等の建築物を建築するための基礎形成法の実施の形態の説明に供する、図５に示す工程において用いる第１及び第２の立上り枠用側板、それらに取付けられた第１及び第２の線条体、及び立上り枠用側板間間隔保持具を示す略線的斜視図（図７Ａ）、及び複数の立上り枠用側板を順次連接させている状態を示す略線的平面図（図７Ｂ）である。
【図８】本発明による住宅等の建築物を建築するための基礎形成法の実施の形態の説明に供する、図５に示す工程に続く工程を示す略線的平面図（図８Ａ）及びそのＢ−Ｂ線上の断面図（図８Ｂ）である。
【図９】本発明による住宅等の建築物を建築するための基礎形成法の実施の形態の説明に供する、図８に示す工程に続く工程を示す略線的平面図（図９Ａ）である。
【図１０】本発明による住宅等の建築物を建築するための基礎形成法の実施の形態の説明に供する、図９のＢ−Ｂ線上の断面図（図１０Ｂ）である。
【図１１】従来の住宅等の建築物を建築するための基礎形成法の説明に供する、最初の工程を示す略線的平面図（図１１Ａ）及びそのＢ−Ｂ線上の断面図（図１１Ｂ）である。
【図１２】従来の住宅等の建築物を建築するための基礎形成法の説明に供する、図１１に示す工程に続く工程を示す略線的平面図（図１２Ａ）及びそのＢ−Ｂ線上の断面図（図１２Ｂ）である。
【図１３】従来の住宅等の建築物を建築するための基礎形成法の説明に供する、図１２に示す工程に続く工程を示す略線的平面図（図１３Ａ）及びそのＢ−Ｂ線上の断面図（図１３Ｂ）である。
【図１４】従来の住宅等の建築物を建築するための基礎形成法の説明に供する、図１３に示す工程に続く工程を示す略線的平面図（図１４Ａ）及びそのＢ−Ｂ線上の断面図（図１４Ｂ）である。
【図１５】従来の住宅等の建築物を建築するための基礎形成法の説明に供する、図１４に示す工程に続く工程を示す略線的平面図（図１５Ａ）及びそのＢ−Ｂ線上の断面図（図１５Ｂ）である。
【図１６】従来の住宅等の建築物を建築するための基礎形成法の説明に供する、図１５に示す工程に続く工程を示す略線的平面図（図１６Ａ）及びそのＢ−Ｂ線上の断面図（図１６Ｂ）である。
【図１７】従来の住宅等の建築物を建築するための基礎形成法の説明に供する、図１６に示す工程に続く工程を示す略線的平面図（図１７Ａ）及びそのＢ−Ｂ線上の断面図（図１７Ｂ）である。
【図１８】従来の住宅等の建築物を建築するための基礎形成法の説明に供する、図１７に示す工程に続く工程を示す略線的平面図（図１８Ａ）及びそのＢ−Ｂ線上の断面図（図１８Ｂ）である。
【図１９】従来の住宅等の建築物を建築するための基礎形成法の説明に供する、図１８に示す工程に続く工程を示す略線的平面図（図１９Ａ）及びそのＢ−Ｂ線上の断面図（図１９Ｂ）である。
【図２０】従来の住宅等の建築物を建築するための基礎形成法の説明に供する、図１９に示す工程に続く工程を示す略線的平面図（図２０Ａ）及びそのＢ−Ｂ線上の断面図（図２０Ｂ）である。
【図２１】従来の住宅等の建築物を建築するための基礎形成法の説明に供する、図２０に示す工程に続く工程を示す略線的平面図（図２１Ａ）及びそのＢ−Ｂ線上の断面図（図２１Ｂ）である。
【図２２】従来の住宅等の建築物を建築するための基礎形成法の説明に供する、図２１に示す工程に続く工程を示す略線的平面図である。
【図２３】従来の住宅等の建築物を建築するための基礎形成法の説明に供する、図２２のＢ−Ｂ線上の断面図である。
【符号の説明】
１                土地
１′              土地１の地表面
１１              土地１の地表
２                根切り
２１、２２        根切り２の第１、第２の内側面
２３              根切り２の根切り底
３                地業
３１              地業３の上面
４                ベースブロック
４１、４２        ベースブロックの第１、第２の側面
４３、４４        ベースブロックの第３、第４の側面
４５              ベースブロックの上面
４６              ベースブロックの下面
５１              第１の鉄筋
５２              第２の鉄筋
５３              第３の鉄筋
５４              第４の鉄筋
６                ベース枠
６１、６２        第１、第２のベース枠用側板
６１１、６２１    第１、第２のベース枠用側板
６１２、６２２    第１、第２のベース枠用上板
７                立上り枠
７１、７２        第１、第２の立上り枠用側板
８                コンクリート基礎
９                コンクリート立上り
１０１            コンクリート層
２０１            立上り枠組立用側板位置決め保持用具
３００            立上り枠組立用側板位置決め保持用具２０１の基板部
３０１ａ及び３０１ｂ、３０２ａ及び３０２ｂ
第１、第２の対の位置決め保持用片
４０１、４０２    第１、第２の線条体
５０１            立上り枠組立用側板間間隔保持用具
６００            間隔保持用板部
６０１、６０２    立上り枠組立用側板位置決め保持用具２０１の第１、第２の差込片
７１４            結束
７１３、７２３    第１、第２の面取り
７２２            化粧面
【図１】
0003784957.tif 000002
【図２】
0003784957.tif 000003
【図３】
0003784957.tif 000004
【図４】
0003784957.tif 000005
【図５】
0003784957.tif 000006
【図６】
0003784957.tif 000007
【図７】
0003784957.tif 000008
【図８】
0003784957.tif 000009
【図９】
0003784957.tif 000010
【図１０】
0003784957.tif 000011
【図１１】
0003784957.tif 000012
【図１２】
0003784957.tif 000013
【図１３】
0003784957.tif 000014
【図１４】
0003784957.tif 000015
【図１５】
0003784957.tif 000016
【図１６】
0003784957.tif 000017
【図１７】
0003784957.tif 000018
【図１８】
0003784957.tif 000019
【図１９】
0003784957.tif 000020
【図２０】
0003784957.tif 000021
【図２１】
0003784957.tif 000022
【図２２】
0003784957.tif 000023
【図２３】
0003784957.tif 000024